(57)【要約】【課題】  検知光を用いた、安価で、小型の分析試料保持装置の提供【解決手段】  試料分析装置１００は、生体試料保持分析チップＣ１００に保持されている生体試料である血液を、分析光を用いて分析するものである。試料分析装置１００では、ＬＥＤセット１０３から分析光を試料に照射し、フォトダイオード１０５を用いて、試料を透過してきた分析光の光量を電気信号量として検出する。試料によって、波長に基づく検知光の透過特性が異なることから、電気信号量の比により試料を分析することができる。分析光は、反射部材１０７で反射させて、基板１０１を通過させた後、生体試料保持分析チップＣ１００へ導入する。生体試料保持分析チップＣ１００を通過した分析光は、フォトダイオード１０５で受光される。これにより、安価で、小型の分析試料保持装置を提供することができる。【選択図】  図１
2014181908.tif 000002
【特許請求の範囲】
【請求項１】
試料を保持する試料保持路を内部に有する分析試料保持装置を用いて、前記試料を分析する試料分析装置であって、
分析光を発光する分析光発光部、
発光された前記分析光を、所定位置に配置された前記分析試料保持装置に向かって反射する反射面を有する分析光反射部、
前記分析試料保持装置の前記試料保持路を通過した前記分析光を受光する分析光受光部、
前記分析光発光部を第１面に有し、前記分析光反射部を前記第１面とは表裏の関係にある第２面に有する基板であって、前記分析光反射部によって反射された分析光が通過する分析光通過開口を有する基板
を有する試料分析装置。
【請求項２】
請求項１に係る試料分析装置において、
前記反射面は、
前記分析光発光部が発光した分析光を反射する第１反射面、および、前記第１反射面で反射された前記分析光を前記分析光通過開口の方向へ反射する第２反射面を有し、
前記第１反射面及び前記第２反射面は、
互いに対向して位置すること、
を特徴とする試料分析装置。
【請求項３】
請求項２に係る試料分析装置において、
前記反射部は、
前記反射面の前記第２反射面から前記基板の前記分析光通過開口へ延びる第１導光部、
を有すること、
を特徴とする試料分析装置。
【請求項４】
請求項２または請求項３に係る試料分析装置において、
前記反射部は、
前記第１反射面から前記第２反射面まで、前記反射面に沿って形成される第２導光部、
を有すること、
を特徴とする試料分析装置。
【請求項５】
請求項１〜請求項４に係る試料分析装置において、
前記分析光反射部は、
所定の円周上に配置される複数の個別分析光投光部を有しており、
前記個別分析光投光部は、
互いに異なる波長の分析光を発光すること、
を特徴とする試料分析装置。
【請求項６】
請求項５に係る試料分析装置において、
前記第１反射面は、
前記分析光投光部側の上方に形成される円球面または楕円球面の一部によって形成され、
前記第２反射面は、円錐面の全部または一部によって形成されること、
を特徴とする試料分析装置。
【請求項７】
請求項１〜請求項４に係る試料分析装置において、
前記分析光反射部は、
所定の直線上に配置される複数の個別分析光投光部を有しており、
前記個別分析光投光部は、
互いに異なる波長の分析光を発光すること、
を特徴とする試料分析装置。
【請求項８】
請求項７に係る試料分析装置において、
前記第１反射面は、
前記分析光投光部側の上方に形成される円球面または楕円球面の一部によって形成され、
前記第２反射面は、円錐面の全部または一部によって形成されること、
を特徴とする試料分析装置。
【請求項９】
請求項１〜請求項８に係る試料分析装置のいずれかにおいて、
前記試料分析装置は、
外部から内部に前記分析光を導入する分析光導入部、
前記内部から前記外部に前記分析光を導出する分析光導出部、
前記試料を保持する試料保持路であって、前記分析試料保持装置の前記内部に形成される試料保持路、
を有し
前記試料保持路は、
前記分析光導入部から導入された前記分析光を前記試料保持路に沿う方向に反射する導入反射部、
前記試料保持路を通過してきた前記分析光を前記分析光導出部の方向へ反射する導出反射部、
を有する、
前記分析試料保持装置を用いて、前記試料を分析すること、
を特徴とする試料分析装置。
【発明の詳細な説明】
【技術分野】
【０００１】
本発明は、試料の状態を分析する試料分析装置に関し、特に、分析光を用いて分析するものに関する。
【背景技術】
【０００２】
従来の分析光を用いた試料分析装置について、図１２に示す検体分析装置を用いて説明する。図１２に示すように、検体分析装置では、光源ランプ１からの測定光２４はミラーＡ２、スリット３を介しグレーティング４に照射され分光される。グレーティング４は、パルスモータにより回され、分析に必要な波長を任意に選択できる。グレーティング４より分光された測定光２４がスリット３を介しミラーＢ５に照射されハーフミラー６に照射され、セル用検知器１６側と、リファレンス用検知器１７側に分光される。測定光による測定は、セル用検知器１６とリファレンス用検知器１７との比較により行う。比色分析部１００は、検体の分析が分光光度計測により行なわれる。電解質分析部２００は、検体の分析が電解質分析により計測される。これにより、分光光度計を用いた検体分析と、電解質分析の検体分析を行なうことができる。
【０００３】
比色分析部１００は、保温ブロック７、保温セル８、フローセル９、ペルチェ素子Ａ（熱源）１０、蓋体５０を有する。保温ブロック７は、銅を含む熱伝導性の良好な金属材料で形成されている。保温ブロック７は保温セル８が嵌め込まれる保温セル収納窪７０、フローセル９が嵌め込まれるフローセル収納窪７１を有する。保温セル８を保温セル収納窪７０に、フローセル９をフローセル収納窪７１に収納し、蓋体５０を保温ブロック７に取り付け、ネジ７２をすることにより、保温セル８とフローセル９は、保温ブロック７の内部に収納保持される。フローセル９は石英で形成され、検体を流通する検体流通孔７３が貫通するように形成されている。フローセル９には、検体流通孔７３に交差するように測定光が透過される（以上、特許文献１参照）。
【先行技術文献】
【特許文献】
【０００４】
【特許文献１】特開２００７−６４８７９号公報
【発明の概要】
【発明が解決しようとする課題】
【０００５】
前述の検体分析装置には、以下に示すような改善すべき点がある。検体分析装置は、フローセル９に分析に適切な測定光２４を投光するために、ミラーＡ２、スリット３、グレーティング４、ミラーＢ５、ハーフミラー６といった構成を必要とする。このため、検体分析装置を小型化できない、という改善すべき点がある。例えば、スリット３、グレーティング４といった高価な光学部品を使用するため、装置が高価になる、という改善すべき点がある。
【０００６】
そこで、本発明は、安価な分析試料保持装置の提供を目的とする。また、本発明は、小型の分析装置の提供を目的とする。
【発明の効果】
【０００７】
本発明における課題を解決するための手段及び発明の効果を以下に示す。
【０００８】
本発明に係る試料分析装置は、試料を保持する試料保持路を内部に有する分析試料保持装置を用いて、前記試料を分析する試料分析装置であって、分析光を発光する分析光発光部、発光された前記分析光を、所定位置に配置された前記分析試料保持装置に向かって反射する反射面を有する分析光反射部、前記分析試料保持装置の前記試料保持路を通過した前記分析光を受光する分析光受光部、前記分析光発光部を第１面に有し、前記分析光反射部を前記第１面とは表裏の関係にある第２面に有する基板であって、前記分析光反射部によって反射された分析光が通過する分析光通過開口を有する基板を有する。
【０００９】
これにより、基板を分析試料保持装置に対して重層するように配置できる。よって、試料分析装置を小型にすることができる。また、分析光反射部により分析光を反射させるだけであり、高価な光学部品を必要としないため、安価な試料分析装置を提供できる。
【００１０】
本発明に係る試料分析装置では、前記反射面は、前記分析光発光部が発光した分析光を反射する第１反射面、および、前記第１反射面で反射された前記分析光を前記分析光通過開口の方向へ反射する第２反射面を有し、前記第１反射面及び前記第２反射面は、互いに対向して位置すること、を特徴とする。
【００１１】
これにより、簡易な構成で、基板の一方側から発光された検知光を、基板の他方側に導くことができる。これにより、簡易な構成で、基板を分析試料保持装置に対して重層するように配置できる。よって、小型かつ安価な試料分析装置を提供することができる。
【００１２】
本発明に係る試料分析装置では、前記反射部は、前記反射面の前記第２反射面から前記基板の前記分析光通過開口へ延びる第１導光部、を有すること、を特徴とする。
【００１３】
これにより、より多くの検知光を分析光透過開口へ導くことができるので、より精度よく分析することができる。
【００１４】
本発明に係る試料分析装置では、前記反射部は、前記第１反射面から前記第２反射面まで、前記反射面に沿って形成される第２導光部、を有すること、を特徴とする。
【００１５】
これにより、より多くの検知光を分析光透過開口へ導くことができるので、より精度よく分析することができる。
【００１６】
本発明に係る試料分析装置では、前記分析光反射部は、所定の円周上に配置される複数の個別分析光投光部を有しており、前記個別分析光投光部は、互いに異なる波長の分析光を発光すること、を特徴とする。
【００１７】
これにより、簡易な構成で、分光分析を行うことができる。よって、安価な試料分析装置を提供することができる。
【００１８】
本発明に係る試料分析装置では、前記第１反射面は、前記分析光投光部側の上方に形成される円球面または楕円球面の一部によって形成され、前記第２反射面は、円錐面の全部または一部によって形成されること、を特徴とする。
【００１９】
これにより、簡易な構成で、分光分析を行うことができる。よって、安価な試料分析装置を提供することができる。
【００２０】
本発明に係る試料分析装置では、前記分析光反射部は、所定の直線上に配置される複数の個別分析光投光部を有しており、前記個別分析光投光部は、互いに異なる波長の分析光を発光すること、を特徴とする。
【００２１】
これにより、簡易な構成で、分光分析を行うことができる。よって、安価な試料分析装置を提供することができる。
【００２２】
本発明に係る試料分析装置では、前記第１反射面は、前記分析光投光部側の上方に形成される円球面または楕円球面の一部によって形成され、前記第２反射面は、円錐面の全部または一部によって形成されること、を特徴とする。
【００２３】
これにより、簡易な構成で、分光分析を行うことができる。よって、安価な試料分析装置を提供することができる。
【００２４】
本発明係る試料分析装置では、前記試料分析装置は、外部から内部に前記分析光を導入する分析光導入部、前記内部から前記外部に前記分析光を導出する分析光導出部、前記試料を保持する試料保持路であって、前記分析試料保持装置の前記内部に形成される試料保持路、有し前記試料保持路は、前記分析光導入部から導入された前記分析光を前記試料保持路に沿う方向に反射する導入反射部、前記試料保持路を通過してきた前記分析光を前記分析光導出部の方向へ反射する導出反射部、を有する、前記分析試料保持装置を用いて、前記試料を分析すること、を特徴とする。
【００２５】
これにより、検知光による試料の分析に適した分析試料保持装置を用いて、試料を分析することができるため、簡易かつ精度よく試料を分析することができる。
【図面の簡単な説明】
【００２６】
【図１】本発明に係る試料分析装置の一実施例である試料分析装置１００の概要を示す図である。
【図２】試料分析装置１００の構成を示す図である。
【図３】ＬＥＤセット１０３の基板１０１上の配置を示す図である。
【図４】ＰＤ１０５の基板１０１上の配置を示す図である。
【図５】反射部材１０７の構成を示す図である。
【図６】基板１０１に配置される電子回路の接続関係を示す図である。
【図７】生体試料分析チップＣ１００の外観を示す斜視図である。
【図８】生体試料分析チップＣ１００の断面を示す図である。
【図９】反射部材２０７の構成を示す図である。
【図１０】試料分析装置３００におけるＬＥＤセット１０３の基板１０１上の配置を示す図である。
【図１１】反射部材３０７の構成を示す図である。
【図１２】従来の試料分析装置を示す図である。
【発明を実施するための形態】
【００２７】
以下、本発明の実施例について、図面を参照しながら詳細に説明していく。
【実施例１】
【００２８】
第１  試料分析装置１００の概要
試料分析装置１００の構成について図１を用いて説明する。本発明に係る試料分析装置の一実施例である試料分析装置１００は、試料保持装置である生体試料保持分析チップＣ１００に保持されている生体試料である血液を、分析光を用いて分析するものである。試料分析装置１００では、ＬＥＤセット１０３から分析光を試料に照射し、フォトダイオード１０５を用いて、試料を透過してきた分析光の光量を電気信号量として検出する。試料によって、波長に基づく検知光の透過特性が異なることから、電気信号量の比により試料を分析することができる。分析光は、反射部材１０７で反射させて、基板１０１を通過させた後、生体試料保持分析チップＣ１００へ導入する。生体試料保持分析チップＣ１００を通過した分析光は、フォトダイオード１０５で受光される。
【００２９】
第２  試料分析装置１００の構成
試料分析装置１００の構成について図２を用いて説明する。試料分析装置１００は、基板１０１、発光ダイオードセット１０３（以下、ＬＥＤセット１０３とする）、フォトダイオード１０５（以下、ＰＤ１０５とする）、及び、反射部材１０７を有している。ＬＥＤセット１０３、ＰＤ１０５、及び、反射部材１０７は、基板１０１に配置される。
【００３０】
ＬＥＤセット１０３の基板１０１上の配置について図３を用いて説明する。図３は、図２に示す基板１０１から反射部材１０７を取り除き、上方から見た状態を示している。ＬＥＤセット１０３は、８つの発光ダイオード１０３−１〜発光ダイオード１０３−８（以下、ＬＥＤ１０３−１〜ＬＥＤ１０３−８とする）を有している。ＬＥＤ１０３−１〜ＬＥＤ１０３−８のそれぞれは、所定の波長の光を分析光として発光する。また、ＬＥＤ１０３−１〜ＬＥＤ１０３−８のそれぞれは、互いに異なる波長の分析光を発光する。例えば、ＬＥＤ１０３−１〜ＬＥＤ１０３−８は、血液の分析に対して、赤色、橙色、・・・の可視光から近赤外光までの分析光を発光する。
【００３１】
ＬＥＤ１０３−１〜ＬＥＤ１０３−８は、基板１０１の１つの面（以下、ＬＥＤ配置面Ｐ１０１とする）に、所定の円周Ｌに沿って配置される。これにより、ＬＥＤ２０１−１〜ＬＥＤ２０１−８のそれぞれについて、反射板との距離をほぼ同一にできる。
【００３２】
また、基板１０１には、ＬＥＤ１０３−１〜ＬＥＤ１０３−８が配置される円周Ｌの中心付近に開口１０９が形成されている。開口１０９は、ＬＥＤ１０３−１〜ＬＥＤ１０３−８のそれぞれが発光した分析光を、ＬＥＤ配置面Ｐ１０１の側からＰＤ配置面Ｓ１０１（後述）の側へ通過させるための開口である。
【００３３】
図２に戻って、ＰＤ１０５は、ＬＥＤ１０３−１〜ＬＥＤ１０３−８が発光した分析光を受光する。ＰＤ１０５の基板１０１上の配置について図４を用いて説明する。図４は、図２に示す基板１０１を下方から見た状態を示している。ＰＤ１０５は、基板１０１のＬＥＤ配置面Ｐ１０１とは異なる面、つまりＬＥＤ配置面Ｐ１０１の裏面（以下、ＰＤ配置面Ｓ１０１とする）に配置される。これにより、ＬＥＤ１０３−１〜ＬＥＤ１０３−８のそれぞれがＬＥＤ配置面Ｐ１０１側で発光し、開口１０９を介して基板１０１を通過させた分析光を、ＰＤ配置面Ｓ１０１側で受光することができる。基板１０１のＰＤ配置面Ｓ１０１側に配置した分析試料保持装置Ｍ１００とＰＤ１０５との間の距離をより近くすることができるので、ＰＤ１０５においてより多くの分析光を取得することができる。これにより、分析光を用いた試料分析の精度をあげることができる。
【００３４】
図２に戻って、反射部材１０７は、基板１０１に配置されたＬＥＤ１０３−１〜ＬＥＤ１０３−８を覆うように、基板１０１のＬＥＤ配置面Ｐ１０１上に配置される。反射部材１０７は、ＬＥＤセット１０３で発光した分析光を、ＬＥＤ配置面Ｐ１０１側からＰＤ配置面Ｓ１０１側に向かって反射する。また、反射部材１０７は、分析光を反射する際に、開口１０９に向かうように反射する。
【００３５】
反射部材１０７の構成について図５を用いて説明する。図５Ａは、反射部材１０７の中央での断面図を、図５Ｂは、反射部材１０７の底面図を、それぞれ示している。図５Ａに示すように、反射部材１０７は、筐体１０７ａ、反射面１０７ｂ、導光突起１０７ｃ及び支持突起１０７ｄを有している。
【００３６】
筐体１０７ａは、内部にＬＥＤセット１０３の配置ため、また、分析光の通過領域のための内部空間を有している。反射面１０７ｂは、筐体１０７ａにおける内部空間との境界面に沿って形成される。反射面１０７ｂは、内部空間との境界面に鏡面加工を施すことによって形成される。
【００３７】
反射面１０７ｂは、第1反射面１０７ｂ１及び第２反射面１０７ｂ２を有している。第１反射面１０７ｂ１は、反射面１０７ｂの下部、向かって左側に形成される楕円球面に沿って形成される。また、第1反射面１０７ｂ１は、ＬＥＤ１０３−１〜ＬＥＤ１０３−８の上部に形成される。第２反射面１０７ｂ２は、反射面１０７ｂの上部、向かって右側に形成される円錐に半分に三角柱が連続する形状の凸部Ｔ１０７の側面に沿って形成される。第２反射面１０７ｂ２は、開口１０９の上部に形成される。なお、第1反射面１０７ｂ１と第２反射面１０７ｂ２とは、ほぼ対向する位置に形成される。
【００３８】
第1反射面１０７ｂ１は、ＬＥＤ１０３−４が投光した分析光のうち上方向へ投光されたものを、第２反射面１０７ｂ２の方向へ反射する。第２反射面１０７ｂ２は、第1反射面１０７ｂ１によって反射された分析光を、さらに、開口１０９の方向へ反射する。
【００３９】
導光突起１０７ｃは、円柱状の光ファイバを用いて形成される。導光突起１０７ｃは、開口１０９と第２反射面１０７ｂ２との接続するように形成される。導光突起１０７ｃを形成することによって、第２反射面１０７ｂ２で反射された分析光を、効率よく開口１０９へ導くことができる。また、分析光の第２反射面１０７ｂ２での反射方向が、開口１０９へ向かう方向でなかったとしても、光ファイバの全反射条件に合うものであれば、導光突起１０７ｃによって、開口１０９へ導くことができる。つまり、導光突起１０７ｃを形成することによって、より多くの分析光を開口１０９へ導くことができる。
【００４０】
支持突起１０７ｄは、分析光を透過する材料によって形成されている。支持突起１０７ｄは、筐体１０７ａが内部空間を維持できるように形成される。
【００４１】
このような反射部材１０７を形成することによって、図５Ａに示すように、例えば、ＬＥＤ１０３−１〜４が真上へ向かって投光した分析光Ｒ１、分析光Ｒ２については、開口１０９に導くことができる。一方、ＬＥＤ１０３−１〜４が上方であるが、真上でない方向へ向かって投光した分析光Ｒ３については、開口１０９に導くことが難しい。他のＬＥＤ１０３−１〜ＬＥＤ１０３−３、ＬＥＤ１０３−５〜ＬＥＤ１０３−８についても同様である。
【００４２】
なお、基板１０１には、ＬＥＤセット１０３、ＰＤ１０５以外に、複数の電子回路が配置されている。基板１０１に配置される電子回路について、図６に示す接続関係図を用いて説明する。
【００４３】
基板１０１には、ＬＥＤセット１０３、ＰＤ１０５以外に、Ａ／Ｄコンバータ１１１、信号増幅回路１１２、制御コンピュータ１１３、ＤＣ／ＤＣコンバータ１１４、計測スイッチ１１５、表示部１１６、及び外部装置接続インターフェイス１１７が配置されている。
【００４４】
Ａ／Ｄコンバータ１１１は、ＰＤ１０５が受光した分析光の受光信号をＡＤ変換する。信号増幅回路１１２は、Ａ／Ｄコンバータ１１１によってＡＤ変換された受光信号を増幅する。
【００４５】
制御コンピュータ１１３は、ＬＥＤセット１０３が有する８つのＬＥＤ１０３−１〜ＬＥＤ１０３−８の発光タイミングを制御する。また、制御コンピュータ１１３は、増幅回路１１２を介して、ＰＤ１０５が受光した分析光の受光信号を取得する。さらに、制御回路１１３は、取得した受光信号を、外部装置インターフェイス１１７を介して、例えば、パーソナルコンピュータ等の外部装置へ出力する。さらに、制御回路１１３は、計測スイッチ１１５から計測開始信号を受信し、ＬＥＤ１０３−１〜ＬＥＤ１０３−８に発光開始信号を送信する。同様に、制御回路１１３は、計測スイッチ１１５から計測終了信号を受信し、計測を終了する。さらに、制御コンピュータ１１３は、試料分析装置１００の状態等の情報を、表示部１１６に表示する。
【００４６】
ＤＣ／ＤＣコンバータ１１４は、接続されるＡＣアダプタを介して電力の供給を受け、ＬＥＤ１０３−１〜ＬＥＤ１０３−８、信号増幅回路１１２、Ａ／Ｄコンバータ１１１、制御コンピュータ１１３等に、それぞれに適した電圧を供給する。
【００４７】
第３  生体試料保持分析チップＣ１００の構成
試料分析装置１００で用いる生体試料保持分析チップＣ１００は、分析光を用いた比色分析による血液分析を行う際に用いるディスポーザブル・チップである。生体試料分析チップＣ１００を用いた血液の比色分析では、生体試料としての血液を混合した試薬を生体試料分析チップＣ１００の内部に蓄積し、蓄積した試薬に対して外部から内部に導入した分析光を透過させ、分析光の特定波長の光の透過率から試薬の発色度合いを定量化したうえで、血液の状態、ひいては人の健康状態を判断する。
【００４８】
生体試料分析チップＣ１００の構成について図７を用いて説明する。図７は斜め上方から見た生体試料分析チップＣ１００の斜視図を示している。
【００４９】
生体試料分析チップＣ１００は、第１基材部Ｃ１０１、第２基材部Ｃ１０３及びノイズカットマスクＣ１０５を有している。第１基材部Ｃ１０１、第２基材部Ｃ１０３及びノイズカットマスクＣ１０５は、下層からこの順番で配置されている。第１基材部Ｃ１０１及び第２基材部Ｃ１０３は、透明なポリマー物質、例えばポリカーボネイト、により形成されている。
【００５０】
生体試料分析チップＣ１００は、内部に並列に配置された複数の試料保持路ＣＲ１００を有している。生体試料分析チップＣ１００に複数の試料保持路ＣＲ１００を配置することによって、複数の分析項目について同時に分析することが可能となる。
【００５１】
試料保持路ＣＲ１００は、第１反射面ＣＭ１０１及び第２反射面ＣＭ１０２を有している。第１反射面ＣＭ１０１、第２反射面ＣＭ１０２は、それぞれ、鏡面に加工されている。
【００５２】
ノイズカットマスクＣ１０５は、外部から投光された分析光を選択的に内部に取り込むための分析光導入開口ＣＡ１０５を有している。これにより、外部から投光された分析光のうち分析に必要なもののみを内部に取り込むことができる。
【００５３】
次に、図１におけるＸＸ断面を示す図８を用いて、生体試料分析チップＣ１００の内部を説明する。
【００５４】
生体試料分析チップＣ１００は、内部に試料保持路ＣＲ１００を有している。試料保持路ＣＲ１００は、生体試料及び生体試料を分析するための試薬を生体試料分析チップＣ１００の内部に保持するための空間である。
【００５５】
試料保持路ＣＲ１００は、第１基材部Ｃ１０１の表面ＣＰ１０２から内部に向かって凹状に形成されている。試料保持路ＣＲ１００は、上底が下底よりも長い台形の断面を有している。試料保持路ＣＲ１００の一の端部には、第１反射面ＣＭ１０１が、他の一の端部には第２反射面ＣＭ１０２が形成されている。
【００５６】
第１反射面ＣＭ１０１及び第２反射面ＣＭ１０２には、鏡面加工が施されている。これにより、分析光を効率よく反射することができる。また、第１反射面ＣＭ１０１は、垂直上方から入射してきた分析光を、試料保持路ＣＲ１００に沿うように水平方向へ反射する。第２反射面ＣＭ１０２は、水平方向から入射してきた分析光を垂直上方へ反射する。
【００５７】
分析光導入開口ＣＡ１０５は、ノイズカットマスクＣ１０５に対して垂直に入射した分析光のうち、分析に必要なものを生体試料分析チップＣ１００の内部に導入するための開口である。分析光導入開口ＣＡ１０５は、導入した分析光が第１基材部Ｃ１０１の第１反射面ＣＭ１０１に到達する位置に、つまり第１反射面ＣＭ１０１の上方に形成される。
【００５８】
なお、第２基材部Ｃ１０３には、試料保持部ＣＲ１０５が形成される。試料保持部ＣＲ１０５は、所定量の血液及び試薬を蓄積する。試料保持部ＣＲ１０５は、ノイズカットマスクＣ１０５に形成される分析光導入開口ＣＡ１０５に接続する。
【実施例２】
【００５９】
前述の実施例１における試料分析装置１００は、第1反射面１０７ｂ１で反射された分析光は、反射部材１０７の内部空間を通過するように構成した。一方、本実施例に係る試料分析装置２００は、反射部材２０７の内部空間に導光路２０７ａを形成し、第1反射面１０７ｂ１で反射された分析光が導光路２０７ａを通過するように構成したものである。なお、以下においては、実施例１と同様の構成については、実施例１と同じ参照番号を付し、その詳細な説明を省略する。
【００６０】
第１  反射部材２０７の構成
反射部材２０７の構成について図９に示す反射部材２０７の断面を用いて説明する。反射部材２０７は、反射部材１０７の構成に加えて、導光路２０７ａを有している。導光路２０７ａは、内部空間の上部の反射面１０７ｂに沿って、一定の厚みで形成される。導光路２０７ａは、ガラス、アクリル等の光の透過材を用いて形成される。所定の角度で導光路２０７ａに侵入した分析光は、導光路２０７ａの内部で反射して、導光路２０７ａの端部まで到達する。
【００６１】
このような導光路２０７ａを形成することによって、図９に示すように、例えば、ＬＥＤ１０３−１〜４が上方であるが、真上でない方向へ向かって投光した分析光Ｒ５（実施例１において例示した分析光Ｒ３と同じ方向に投光される分析光）については、導光路２０７ａ、導光突起１０７ｃを介して、開口１０９に導くことができる。つまり、実施例１の反射部材１０７では、開口１０９まで導くことができなかった分析光についても、開口１０９まで導くことができる。つまり、導光路２０７ａを形成することによって、より多くの分析光を開口１０９へ導くことができる。他のＬＥＤ１０３−１〜ＬＥＤ１０３−３、ＬＥＤ１０３−５〜ＬＥＤ１０３−８についても同様である。
【実施例３】
【００６２】
前述の実施例１における試料分析装置１００では、ＬＥＤセット１０３のＬＥＤ１０３−１〜ＬＥＤ１０３−８を、所定の円周Ｃに沿って、配置するものであった。本発明に係る試料分析装置３００は、ＬＥＤセット１０３のＬＥＤ１０３−１〜ＬＥＤ１０３−８を、直線状に、配置するものである。なお、以下においては、実施例１と同様の構成については、実施例１と同じ参照番号を付し、その詳細な説明を省略する。
【００６３】
本実施例に係る試料分析装置３００は、基板１０１、ＬＥＤセット１０３、ＰＤ１０５、及び、反射部材３０７を有している。
【００６４】
第１  ＬＥＤセット１０３の構成
ＬＥＤセット１０３の基板１０１上の配置について図１０を用いて説明する。ＬＥＤセット１０３のＬＥＤ１０３−１〜ＬＥＤ１０３−８は、基板１０１のＬＥＤ配置面Ｐ１０１に、直線状に配置される。これにより、基板１０１の幅を小さくできる。よって、基板１０１の配置空間に制限がある場合でも、適切な形状とすることができる。
【００６５】
第２  反射部材３０７の構成
反射部材３０７の構成について図１１に示す反射部材３０７の断面を用いて説明する。反射部材３０７は、ガラスやアクリルといった光透過材によって形成された直方体形状を有している。反射部材３０７の内部には、ＬＥＤセット１０３が有するＬＥＤの数に合わせた第１反射面３０７ｂ１−１〜第1反射面３０７ｂ１−８、及び、１つの第２反射面３０７ｂ２が形成されている。第１反射面３０７ｂ１−１〜第1反射面３０７ｂ１−８、及び、第２反射面３０７ｂ２は、直線上に位置するように形成される。
【００６６】
第1反射面３０７ｂ１−１は、ＬＥＤ１０３−１が発光した分析光を、基板１０１に沿う方向へ反射する。第1反射面３０７ｂ１−２〜第1反射面３０７ｂ１−８につても同様である。第２反射面３０７ｂ２は、第１反射面３０７ｂ１−１〜第１反射面３０７ｂ１−８のそれぞれによって反射された分析光を、開口１０９の方向へ反射する。
【００６７】
なお、第１反射面３０７ｂ１−１は、ＬＥＤ１０３−１が位置する方向からの分析光については、第２反射面３０７ｂ２の方向へ反射する一方、他の第１反射面によって反射されて第２反射面３０７ｂ２の方向へ向かっている分析光については、影響を与えない。つまり、第１反射面３０７ｂ１−１は、いわゆるハーフミラーとして形成される。他の第１反射面３０７ｂ１−２〜第１反射面３０７ｂ１−８についても同様である。
【００６８】
これにより、ＬＥＤ１０３−１〜ＬＥＤ１０３−８を円周上に配置する空間がなくとも、異なる波長を有するＬＥＤ１０３−１〜ＬＥＤ１０３−８を有する試料分析装置を形成することができる。
【００６９】
［他の実施例］
（１）ＬＥＤセット１０３：前述の実施例１においては、ＬＥＤセット１０３は８つのＬＥＤ１０３−１〜ＬＥＤ１０３−８を有するとしたが、ＬＥＤの数については、例示のものに限定されない。
【００７０】
（２）基板１０１：前述の実施例１〜実施例３においては、基板１０１は１枚の板によって構成され、表裏の関係にあるＬＥＤ配置面Ｐ１０１、ＰＤ配置面Ｓ１０１に、それぞれＬＥＤセット１０３、ＰＤ１０５を配置したが、ＬＥＤセット１０３が分析光を投光する方向とＰＤ１０５が分析光を受光する方向とが反対になるものであれば、例示のものに限定されない。例えば、ＬＥＤセット１０３とＰＤ１０５とを、それぞれ別の基板に配置し、２枚の基板によって基板１０１を構成するようにしてもよい。また、基板１０１を、２枚以上の基板によって構成するようにしてもよい。
【００７１】
（３）分析する試料：前述の実施例１〜実施例３においては、分析する試料として血液を用いたが、分析光によって分析できるものであれば、例示のものに限定されない。例えば、飲料、試薬等の液体であってもよい。
【００７２】
（４）生体試料保持分析チップＣ１００：前述の実施例１〜実施例３においては、生体試料保持分析チップＣ１００は、複数の試料保持路ＣＲ１００が一体となっているものとしたが、単独の試料保持路ＣＲ１００を有するものであってもよい。
【産業上の利用可能性】
【００７３】
本発明に係る試料分析装置は、例えば、試料として血液を用いた血液分析装置として利用することができる。
【符号の説明】
【００７４】
１００・・・・・試料分析装置
１０１・・・・・基板
Ｐ１０１・・・ＬＥＤ配置面
Ｓ１０１・・・ＰＤ配置面
１０３・・・・・発光ダイオードセット
１０３−１〜１０３−８・・・発光ダイオード
１０５・・・・・フォトダイオード
１０７・・・・・反射部材
１０７ａ・・・筐体
１０７ｂ・・・反射面
１０７ｂ１・・第1反射面
１０７ｂ２・・第２反射面
１０７ｃ・・・導光突起
１０７ｄ・・・支持突起
１０９・・・・・開口
２０７・・・・・反射部材
２０７ａ・・・導光路
３０７・・・・・反射部材
３０７ｂ１−１〜３０７ｂ１−８・・第１反射面
３０７ｂ２・・第２反射面
Ｃ１００・・・・生体試料保持分析チップ
【図１】
2014181908.tif 000003
【図２】
2014181908.tif 000004
【図３】
2014181908.tif 000005
【図４】
2014181908.tif 000006
【図５】
2014181908.tif 000007
【図６】
2014181908.tif 000008
【図７】
2014181908.tif 000009
【図８】
2014181908.tif 000010
【図９】
2014181908.tif 000011
【図１０】
2014181908.tif 000012
【図１１】
2014181908.tif 000013
【図１２】
2014181908.tif 000014